(57)【要約】【課題】外観品位が良好で、且つ操作者が安全に使用できる電子機器の蓋装置を提供する。【解決手段】スライド及び回動動作が可能な電子機器の蓋装置において、前記蓋装置は、該蓋装置が本体に収納された状態にて外観側に露出する第一の蓋部材と、該蓋装置が本体に収納された状態にて非外観側に備えられる第二の蓋部材と、前記第一の蓋部材と前記第二の蓋部材に挟み込まれ、前記蓋装置のスライド方向と略垂直方向にスライド可能なレバー部材と、を備え、前記レバー部材は、前記蓋装置が閉じた状態にて該蓋装置のスライド方向の保持を行い、更に前記レバー部材は、前記蓋装置が閉状態から開状態までスライドしていく間に、前記第一の蓋部材と前記第二の蓋部材との間に収納されることを特徴とする電子機器の蓋装置。【選択図】        図５
2007026701.tif 000002
【特許請求の範囲】
【請求項１】
スライド及び回動動作が可能な電子機器の蓋装置において、
前記蓋装置は、
該蓋装置が本体に収納された状態にて外観側に露出する第一の蓋部材と、
該蓋装置が本体に収納された状態にて非外観側に備えられる第二の蓋部材と、
前記第一の蓋部材と前記第二の蓋部材に挟み込まれ、前記蓋装置のスライド方向と略垂直方向にスライド可能なレバー部材と、
を備え、
前記レバー部材は、前記蓋装置が閉じた状態にて該蓋装置のスライド方向の保持を行い、
更に前記レバー部材は、前記蓋装置が閉状態から開状態までスライドしていく間に、
前記第一の蓋部材と前記第二の蓋部材との間に収納されることを特徴とする電子機器の蓋装置。
【請求項２】
請求項１に記載の電子機器の蓋装置において、
前記レバー部材は前記蓋装置が閉じた状態にて、該蓋装置の開閉検知スイッチを押圧することを特徴とする電子機器の蓋装置。
【請求項３】
請求項２に記載の電子機器の蓋装置に於いて、
前記レバー部材のスライド方向と前記開閉検知スイッチの押圧方向は略垂直であることを特徴とする電子機器の蓋装置。
【発明の詳細な説明】
【技術分野】
【０００１】
本発明は電子機器の蓋装置に関し、特に撮像装置並びに電子機器の電池蓋構造に関するものである。
【背景技術】
【０００２】
従来、デジタルカメラ等の電子機器においては、カメラの電池収納室内及び電池蓋側に、電池を導通させる為の接片を設け、この電池蓋が開閉自在にカメラ本体に取り付けられ、更に、電池装着状態にて電池が簡単に取り出されない様に、電池蓋側にレバー等のロック機構を備えている物が多い。
【０００３】
しかし、電源として単三電池を４本用いる場合などは、上記電池接片のトータルの反力が大きく、落下による衝撃等によりロックレバーの外れ・破損といった問題が顕在化してくる。
【０００４】
そこで上記問題を解決する為、例えば特許文献１では、電池蓋にロックレバーをスライド可能に取り付け、電池蓋を閉じる際にロック爪の傾斜背面が本体側の係止部に当たることにより、ロックレバーが僅かにスライドして戻り、ロック爪の係止内面が本体側係止部の係止面に係止すると同時に、電池に接続するバネ性接片による反力により、前記ロック爪の係止内面が前記係止部の係止面を押し付けてロックする電池蓋のロック機構において、前記ロック爪の係止内面の角度を前記係止部の係止面に対し「１５°±１０°」傾けるように構成している。
【０００５】
これにより、係止時にロック爪の内面が本体側係止部の係止面と面接触にて接するので、カメラ本体に衝撃が加わった際でもロック爪が簡単には外れることがない、というものである。
【特許文献１】特開平１１−２５９４１号公報
【発明の開示】
【発明が解決しようとする課題】
【０００６】
しかし、上記特許文献１では、蓋装置に備えられたロックレバーのロック爪部のみで、電池に接続するバネ性接片による反力を支える構成となっているので、落下による衝撃等が加わった際にロック爪が外れないにせよ、爪折れ等の破損の可能性が出てくる。
【０００７】
また。蓋装置が開いた状態にて、前記ロック爪部が、外観側即ち操作者が容易に触れる箇所に露出するので、実質安全上好ましくなく、また外観品位も好ましくない。
【０００８】
本発明は、以上の点に着目して成されたもので、外観品位が良好で、且つ操作者が安全に使用できる電子機器の蓋装置を提供することを目的とする。
【課題を解決するための手段】
【０００９】
そこで、上記課題を解決する為に、本発明は以下の手段を講じている。
【００１０】
即ち本発明では、
スライド及び回動動作が可能な蓋装置を有する電子機器の蓋装置において、
前記蓋装置は、
該蓋装置が本体に収納された状態にて外観側に露出する第一の蓋部材と、
該蓋装置が本体に収納された状態にて非外観側に備えられる第二の蓋部材と、
前記第一の蓋部材と、前記第二の蓋部材に挟み込まれ、前記蓋装置のスライド方向と略垂直方向にスライド可能なレバー部材と、
を備え、
前記レバー部材は、前記蓋装置が閉じた状態にて、該蓋装置のスライド方向の保持を行い、
更に前記レバー部材は、前記蓋装置が、閉状態から開状態までスライドしていく間に、
前記第一の蓋部材と前記第二の蓋部材との間に収納されること、
を特徴とする電子機器の蓋装置を提供する。
【００１１】
また、本発明に係る電子機器の蓋装置において、
前記レバー部材は、前記蓋装置が閉じた状態にて、該蓋装置の開閉検知スイッチを押圧すること、を特徴とする。
【００１２】
また、本発明に係る電子機器の蓋装置に於いて、
前記レバー部材のスライド方向と、前記開閉検知スイッチの押圧方向は略垂直であること、を特徴とする。
【発明の効果】
【００１３】
本発明によれば、
スライド及び回動動作が可能な蓋装置を有する電子機器の蓋装置において、前記蓋装置は、該蓋装置が本体に収納された状態にて外観側に露出する第一の蓋部材と、該蓋装置が本体に収納された状態にて非外観側に備えられる第二の蓋部材と、前記第一の蓋部材と前記第二の蓋部材に挟み込まれ、前記蓋装置のスライド方向と略垂直方向にスライド可能なレバー部材と、を備え、
前記レバー部材は、前記蓋装置が閉じた状態にて該蓋装置のスライド方向の保持を行い、更に前記レバー部材は、前記蓋装置が閉状態から開状態までスライドしていく間に、前記第一の蓋部材と前記第二の蓋部材との間に収納されるようにしたので、前記蓋装置が開いた状態にて、前記レバー部材が外観側即ち操作者が容易に触れる箇所に露出することがなく、レバー部材のエッジ部による操作者のけが等の可能性が無くなるだけでなく、良好な外観品位を維持することが可能となる。
【００１４】
また、本発明によれば、
前記蓋装置に備えられた前記レバー部材は、前記蓋装置が閉じた状態にて、該蓋装置の開閉検知スイッチを押圧し、更に、前記レバー部材のスライド方向と、前記開閉検知スイッチの押圧方向が略垂直となるように配設されているので、レバー部材のスライド方向と略平行方向に開閉検知スイッチを押圧する従来の場合と比較して、前記スイッチを実装する為だけの硬質プリント基板またはフレキシブルプリント基板を設ける必要が無く、前記電池収納室の背面に設けられている硬質プリント基板（メイン基板或いはＤＣ／ＤＣ基板或いは操作基板）上に前記スイッチを実装することができるので、コストダウン並びに組立て工数の軽減が可能となる。
【発明を実施するための最良の形態】
【００１５】
以下、添付図に従って本発明に係る電子機器装置の好ましい実施の形態について詳説する。
【実施例】
【００１６】
図１は本発明を適用したデジタルカメラの実施例におけるカメラ本体の正面図、図２は本発明を適用したデジタルカメラの実施例におけるカメラ本体の背面図、図３は本発明を適用したデジタルカメラの実施例におけるカメラ本体の斜視図、である。
【００１７】
１０１は撮影光学系を構成している鏡筒、１０２は被写体像を観察する為の光学ファインダ窓（対物側）、１０３はＡＦ補助光窓、１０４はストロボ部、１０５は前カバー、１０６はカメラを把持する為に前カバー１０５に備えられたグリップ部である。
【００１８】
１０７はカメラ本体に対し、スライド及び回動動作が可能な電池蓋、１０８は撮影画像の確認・再生、撮影条件などの各種情報を表示する為の液晶表示装置であり、本実施例では、カメラ未使用時及び光学ファインダ使用時などには液晶部を本体背面カバー１１０に対向させる形で収納することができる、所謂バリアングル液晶を搭載している。
【００１９】
１０９は被写体像を観察する為の光学ファインダ窓（接眼側）、１１１は撮影条件等の各種設定の際に使用する操作ボタン、１１２は「再生」、「撮影」の切り替えを行うモードレバー、１１３はストラップを通す為の孔を備えたストラップリング、１１４はスライド及び回動動作により記録媒体の着脱を行うメディア蓋、１１５は各種外部デバイスに接続する為に硬質プリント基板或いはフレキシブルプリント基板上に実装された端子類を保護するコネクタカバーであり、本実施例ではテレビ受信機等の外部映像デバイスに接続する為のアナログビデオ端子、外部直流電源に接続する為の電源端子、ＰＣ等に接続する為のデジタル端子、を備えている。
【００２０】
１１６は、撮影準備及び撮影開始機能を備えた操作部材である所謂レリーズボタン、１１９は光学式変倍機能或いはデジタル式変倍機能において、その倍率を調節操作する為のズームレバーであり、レリーズボタン１１６の中心に対し左右に回動可能である。
【００２１】
１１７は、カメラの撮影モードなどを変更する為のモードダイヤル、１１８はカメラ本体の電源のＯＮ／ＯＦＦを行う為のパワーボタン、１２０は上カバーである。
【００２２】
図５は本発明を適用したデジタルカメラの実施例における蓋装置の構成図である。
【００２３】
電池蓋１０７には、長穴１０７−ｂが形成されており、ここにロックレバー３０１上に形成される操作ツマミ部３０１−ｂが摺動可能に係止されている。
【００２４】
ロックレバー３０１には、不図示のバネ掛け部が形成されており、これと電池蓋１０７上に形成されている不図示のリブ部の間に付勢部材（コイルバネ）３０２が配設される。つまり、ロックレバー３０１は付勢部材（コイルバネ）３０２によって矢印Ａ方向に付勢されている。
【００２５】
またロックレバー３０１の上側にはスライド部材Ａ３０３が摺動可能に配設されており、ロックレバー３０１に形成されるボス３０１−ｃとスライド部材Ａ３０３に形成されているカム溝３０３−ａが摺動可能に嵌合し、さらにカム溝３０３−ａとカム溝３０３−ｂは電池蓋１０７に形成されているボス１０７−ｃと摺動可能に嵌合している。
【００２６】
さらにスライド部材Ａ３０３の上側にはスライド部材Ｂ３０６が摺動可能に配設されており、スライド部材Ｂ３０６上に形成されている長穴３０６−ａにストッパー部材３１０が摺動可能に嵌合し、電池蓋１０７上に形成されているボス１０７−ｄにネジ等の係止手段により保持される。
【００２７】
また電池接片３０７に形成されている不図示の穴に、電池逆挿入防止部材Ａ３０８と電池逆挿入防止部材Ｂ３０９に形成されている不図示のボスが、それぞれ溶着等の係止手段で保持される。さらにその電池接片３０７に形成されている不図示の穴と、スライド部材Ｂ３０６に形成されている不図示のボスがそれぞれ溶着等の係止手段で保持される。
【００２８】
次に、本発明の実施例における電池収納室と蓋装置の動作を、図４〜図９と絡めながら説明する。
【００２９】
図４は本発明を適用したデジタルカメラの実施例における電池蓋開き（閉じ）状態での斜視図、図６は本発明を適用したデジタルカメラの実施例における電池蓋開き状態での電池蓋の状態図、図７は本発明を適用したデジタルカメラの実施例における電池蓋閉じ状態での電池蓋の状態図、図８は本発明を適用したデジタルカメラの実施例における本体正面側から見た電池蓋閉じ状態でのロックレバーとスイッチ押圧部材の状態図、図９は本発明を適用したデジタルカメラの実施例における本体背面側から見た電池蓋閉じ状態でのスイッチとスイッチ押圧部材の状態図である。
【００３０】
電池蓋１０７には上述したそれぞれの部材が組み込まれている状態を前提に動作の説明をする。
【００３１】
電池収納室２０２に形成している不図示の穴部と、スライド部材Ａ３０３に形成されている曲げ穴３０３−ｃと、付勢部材（トグルバネ）３０４と、がシャフト３０５により回転摺動可能に嵌合し、前記付勢部材（トグルバネ）３０４は電池収納室２０２の不図示の係止手段で保持されている。尚、付勢部材（トグルバネ）３０４の付勢方向は電池蓋が開く方向である。
【００３２】
また、図８、図９にあるように、電池収納室２０２にはスイッチ押圧部材２０１が矢印Ｅ、Ｆ方向に摺動可能に設けられている。スイッチ押圧部材２０１は付勢部材（コイルバネ）４０２によって矢印Ｅ方向に付勢されている。これは蓋装置の回動動作が完了した状態にてスイッチ押圧部材２０１のカタつきを防止する為のものである。
【００３３】
電池蓋１０７が閉じ状態の時は、図６にあるように、ロックレバー３０１が電池蓋１０７とスライド部材Ｂ３０６から露出している状態であり（図６：Ｐ部）、これにより、図８、図９にあるようにロックレバー３０１に形成されているスイッチ押し部３０１−ａがスイッチ押圧部材２０１を押圧し、更にこのスイッチ押圧部材２０１が電池収納室２０２の背面側に設けられている不図示の硬質プリント基板或いはフレキシブルプリント基板上に実装されている検知スイッチ４０１を押圧することにより、電池蓋１０７の開閉を検知している。図からも分かるように、ロックレバー３０１のスライド方向と検知スイッチ４０１の押圧方向は略垂直である。
【００３４】
尚、本実施例においては、ＣＰＵ、ＤＲＡＭ、フラッシュメモリ、記録媒体スロット等のカメラの主要電気部品を搭載している硬質プリント基板（メイン基板）に検知スイッチ４０１を実装している。レバー部材のスライド方向と略平行方向に開閉検知スイッチを押圧する従来の場合（公知）では、前記スイッチを実装する為だけの硬質プリント基板またはフレキシブルプリント基板をカメラ底面と略平行に設ける必要があったが、本発明における構成によれば、前記電池収納室の背面に設けられている硬質プリント基板（メイン基板或いはＤＣ／ＤＣ基板或いは操作基板）或いはフレキシブルプリント基板上に検知スイッチを実装する事ができるので、コストダウン並びに組立て工数の軽減が可能となる。
【００３５】
また、電池蓋１０７が閉じ状態にある時、図４にあるように電池蓋１０７に形成されている爪部１０７−ａ（４箇所）が、電池収納室２０２に形成されている１０５−ａ（４箇所）に係止され電池蓋１０７が保持されている。
【００３６】
前述したように、特許文献１記載の電池蓋構造では、ロックレバーのロック爪部のみで電池に接続するバネ性接片による反力を支えているので、落下衝撃等の際の爪折れの可能性が高いが、本実施例のような構成をとれば、落下時の衝撃力を本体側の複数の係合部で支える形となる為、爪折れの可能性も極めて低くなる。
【００３７】
電池蓋１０７を開く際は、ロックレバー３０１に形成されている操作ツマミ３０１−ｂを矢印Ｂ方向に動作させる。その時ロックレバー３０１に形成されているボス３０１−ｃがスライド部材Ａ３０３に形成されているカム溝３０３−ａに沿って移動することによって、矢印Ｃ方向に電池蓋１０７がスライドし、電池収納室２０２に形成されている爪部１０５−ａと電池蓋１０７に形成されている爪部１０７−ａの係止が離れていくことで電池蓋１０７の保持力が無くなり、付勢部材（トグルバネ）３０４の付勢力によって、電池収納室２０２に形成している不図示の穴とスライド部材Ａ３０３に形成されている曲げ穴３０３−ｃを支持しているシャフト３０５を中心として電池蓋１０７が回動して開かれる。
【００３８】
電池蓋１０７の回動動作が完了した状態（スライド動作が完了した状態）では、図７にあるように、ロックレバー３０１が電池蓋１０７とスライド部材Ｂ３０６の間に収納されている。
【００３９】
上述したように、ロックレバー３０１の操作ツマミ部３０１−ｂは、電池蓋１０７に形成された長穴１０７−ｂと摺動嵌合の関係にあるので、ロックレバー３０１と電池蓋１０７は同量のスライド量を有する（図５中の矢印Ｃ、Ｄ方向）。
【００４０】
よって、回動動作が完了した状態（スライド動作が完了した状態）にてロックレバー３０１が電池蓋１０７とスライド部材Ｂ３０６の間に収納される状態とするには、
「蓋装置のスライド量＞蓋装置が閉じた状態でのロックレバーのスライド方向の露出量」となるように蓋装置のスライド量とロックレバーのスライド方向の露出量を決定してやれば良い。
【００４１】
これにより、電池蓋１０７が開いた状態にてロックレバー３０１が外観側、即ち操作者が容易に触れる箇所に露出することがなく、ロックレバー３０１のエッジ部による操作者の怪我等の可能性が無くなるだけでなく、良好な外観品位を維持することが可能となる。
【００４２】
また、電池蓋１０７が開いた状態から閉じる際は、付勢部材（トグルバネ）３０４の付勢力に逆らう方向に電池蓋１０７を回動し、電池収納室２０２に突き当たったら、電池蓋１０７を矢印Ｄ方向にスライドさせる。
【００４３】
その時ロックレバー３０１に形成されているボス３０１−ｃがスライド部材Ａ３０３に形成されているカム溝３０３−ａに沿って移動し、ロックレバー３０１に形成されている操作ツマミ３０１−ｂが、付勢部材（コイルバネ）３０２の付勢力によって矢印Ａ方向に移動する事により電池蓋１０７が閉じられる。
【００４４】
さらに、電池蓋１０７に形成されている爪部１０７−ａが、電池収納室２０２に形成されている１０５−ａに係止されることにより電池蓋１０７が確実に保持される。
【００４５】
また本発明の実施例においては、電池蓋１０７は電池収納室２０２の電池挿入のための開口部の近傍に設けられたヒンジを中心に回転自在な電池蓋１０７であるが、電池蓋１０７がカメラ筐体から脱着可能な構成でも本発明と同様の効果が得られる。
【００４６】
また、本発明は、１眼レフカメラ、レンズシャッタカメラ、ビデオカメラ、デジタルカメラ等、種々の形態のカメラ、更にはカメラ以外の光学機器やその他の装置、更にはそれらカメラや光学機器やその他の装置に適用される装置又は、これらを構成する要素に対しても適用できるものである。
【図面の簡単な説明】
【００４７】
【図１】本発明を適用したデジタルカメラの実施例におけるカメラ本体の正面図
【図２】本発明を適用したデジタルカメラの実施例におけるカメラ本体の背面図
【図３】本発明を適用したデジタルカメラの実施例におけるカメラ本体の斜視図
【図４】本発明を適用したデジタルカメラの実施例における電池蓋開き（閉じ）状態での斜視図
【図５】本発明を適用したデジタルカメラの実施例における電池蓋の構成図
【図６】本発明を適用したデジタルカメラの実施例における電池蓋開き状態での電池蓋の状態図
【図７】本発明を適用したデジタルカメラの実施例における電池蓋閉じ状態での電池蓋の状態図
【図８】本発明を適用したデジタルカメラの実施例における本体正面側から見た電池蓋閉じ状態でのロックレバーとスイッチ押圧部材の状態図
【図９】本発明を適用したデジタルカメラの実施例における本体背面側から見た電池蓋閉じ状態でのスイッチとスイッチ押圧部材の状態図
【符号の説明】
【００４８】
１０１  鏡筒
１０２  ファインダ（対物側）
１０３  補助光
１０４  ストロボ
１０５  前カバー
１０６  グリップ
１０７  電池蓋
１０８  バリアングル液晶
１０９  ファインダ（接眼側）
１１０  後カバー
１１１  操作ボタン
１１２  モード切替レバー
１１３  ストラップリング
１１４  メディア蓋
１１５  コネクタカバー
１１６  レリーズボタン
１１７  モードダイヤル
１１８  パワーＯＮ／ＯＦＦボタン
１１９  ズームレバー
１２０  上カバー
２０１  スイッチ押圧部材
２０２  電池収納室
２０３  電池ボックス
３０１  ロックレバー
３０２  付勢部材
３０３  スライド部材Ａ
３０４  付勢部材
３０５  シャフト
３０６  スライド部材Ｂ
３０７  電池接片
３０８  電池逆挿入防止部材Ａ
３０９  電池逆挿入防止部材Ｂ
３１０  ストッパー部材
４０１  検知スイッチ
４０２  付勢部材
【図１】
2007026701.tif 000003
【図２】
2007026701.tif 000004
【図３】
2007026701.tif 000005
【図４】
2007026701.tif 000006
【図５】
2007026701.tif 000007
【図６】
2007026701.tif 000008
【図７】
2007026701.tif 000009
【図８】
2007026701.tif 000010
【図９】
2007026701.tif 000011